(57)【要約】【課題】排泄物を検知するための排泄検知装置の取り付け位置を所定位置に案内する。【解決手段】吸収性物品２は、前身頃２Ａ、後身頃２Ｃ、及び前身頃２Ａと後身頃２Ｃとの間に位置する股下部２Ｂから構成され、股下部２Ｂに、排泄検知装置１０の取り付け位置を案内する案内部２０を備える。【選択図】図１
2019130244.tif 000002
【特許請求の範囲】
【請求項１】
前身頃、後身頃、及び前記前身頃と前記後身頃との間に位置する股下部から構成され、
前記股下部に、排泄検知装置の取り付け位置を案内する案内部を備えることを特徴とする吸収性物品。
【請求項２】
前記案内部は前記股下部の中央領域に設けられる、請求項１に記載の吸収性物品。
【請求項３】
前記股下部において、前身頃方向の端部領域に、第二排泄検知装置の取り付け位置を案内する第二案内部を備える、請求項１又は２に記載の吸収性物品。
【請求項４】
カバーシートを備え、
前記案内部が前記カバーシートにおける非肌面側の表面に設けられる、請求項１〜３の何れ一項に記載の吸収性物品。
【請求項５】
外装体と、
前記外装体の肌面側に配置され、吸水性を有する内装体と、を備え、
前記案内部が前記外装体の肌面側に設けられる、請求項１〜３の何れか一項に記載の吸収性物品。
【請求項６】
前記外装体の肌面側に、前記内装体の取り付け位置を案内する第三案内部を備える、請求項５に記載の吸収性物品。
【請求項７】
前記案内部に排泄検知装置が取り付けられる、請求項１〜６の何れか一項に記載の吸収性物品。
【請求項８】
着用者に装着された請求項１〜７の何れか一項に記載の吸収性物品に取り付けられ前記吸収性物品の雰囲気情報を検出するセンサ装置から無線回線を介して前記センサ装置からの前記雰囲気情報を受信する中継器と、
前記中継器で受信された前記雰囲気情報に基づいて、前記吸収性物品を装着した前記着用者に関する情報を演算する演算部と、を備えたことを特徴とする、
情報処理システム。
【発明の詳細な説明】
【技術分野】
【０００１】
本発明は、本発明は吸収性物品に関する。また、この吸収性物品を用いた情報処理システムに関する。
【背景技術】
【０００２】
近年、吸収性物品を装着した着用者の排泄に関する情報を報知するために、吸収性物品に取り付ける検出装置が開発されている。この技術では、吸収性物品に取り付けられたセンサ装置で検出された情報が、当該情報を受信した報知部で報知される。
【０００３】
例えば、特許文献１には、おむつのウエスト部に取り付けられる検出装置と、この検出装置から股下中央前エリア、股下中央最下エリアまたは股下中央後エリアにわたって取り付けられるセンサーシートとを備えた排泄検出装置が提案されている。このセンサーシートには、二つの導電フィルムと、これらの導電フィルム間に介在する吸水導電層とからなる電極部が下記（ａ）〜（ｃ）の位置に設けられている。
（ａ）股下中央後エリア
（ｂ）股下中央前エリアまたは股下中央最下エリア
（ｃ）股下中央前エリアまたは股下中央最下エリア、および股下中央後エリア
【先行技術文献】
【特許文献】
【０００４】
【特許文献１】特開２０１５−２０６６９３号公報
【発明の概要】
【発明が解決しようとする課題】
【０００５】
しかしながら、センサーシートは股下中央前エリア、股下中央最下エリアまたは股下中央後エリアにわたって取り付けられる複層品であるため、おむつの柔軟性が低下し、着用者に対する違和感が生じるおそれがある。また、電極部が股下中央前エリアのみに設けられると、電極部の位置が肛門対向部から離間するため、糞便等の固形排泄物の検知が困難になることがある。さらに、電極部が股下中央後エリアに設けられると、着用者が寝ている状態や座っている状態にあるときに、電極部における着用者の皮膚の圧迫や摩擦により、血行障害が生じ、褥瘡（いわゆる、床ずれ）を発症することがある。
本件は、上記のような課題に鑑みて創案されたものであり、排泄物を検知するための排泄検知装置（以下、「センサ装置」ともいう。）の取り付け位置を所定位置に案内する吸収性物品を提供することを目的の一つとする。
【課題を解決するための手段】
【０００６】
ここで開示する吸収性物品は、前身頃、後身頃、及び前記前身頃と前記後身頃との間に位置する股下部から構成され、前記股下部に排泄検知装置の取り付け位置を案内する案内部を備える。
【発明の効果】
【０００７】
本発明によれば、所定位置へのセンサ装置の位置決め及び取り付けが容易である。所定の位置に排泄検知装置（センサ装置）を取り付けた吸収性物品によれば、排泄物を精度よく検知することができると共に、着用感に優れる。また、着用者の床ずれを防止できる。
【図面の簡単な説明】
【０００８】
【図１】第一実施形態で例示する紙おむつ（吸収性物品）の展開図である。
【図２】第一実施形態に関する情報処理システムのセンサ装置（排泄検知装置）及びこのセンサ装置が取り付けられる紙おむつ（吸収性物品）を示す分解斜視図である。
【図３】第一実施形態に関するセンサ装置を示す平面図である。
【図４】図２の要部（矢視α−α）における断面図である。
【図５】第一実施形態で例示する紙おむつ（吸収性物品）の着用状態における断面模式図である。
【図６】第一実施形態に関する情報処理システムにおけるコンピュータの基本的な構成を示す模式図である。
【図７】第一実施形態に関する情報処理システム及び報知システムの構成を示す模式図である。
【図８】第一実施形態に関する報知方法を示すフローチャートである。
【図９】図８の演算工程を詳細に示すフローチャートである。
【図１０】第一実施形態に関する報知システムを説明するタイムチャートであり、（ａ）に湿度ｈを示し、（ｂ）に温度Ｔを示し、（ｃ）に排泄時点の判定の有無に関する排泄フラグＦ1を示し、（ｄ）に流動体の排泄物に関する第一不快度フラグＦ21を示し、（ｅ）に固形の排泄物に関する第二不快度フラグＦ22を示し、（ｆ）にフラグＦ21及びＦ22の論理和である不快度フラグＦ2を示す。
【図１１】第一実施形態に関する情報処理システム及び報知システムにおける他の構成を示す模式図である。
【図１２】第二実施形態に関するセンサ装置及びこのセンサ装置が取り付けられる吸収性物品を示す分解斜視図である。
【図１３】第一実施形態に関するセンサ装置における取付部の変形例を要部（図２の矢視α−αに対応する部位）で破断させて示す斜視図である。
【図１４】第一実施形態における中継器の変形例を用いた情報処理システム及び報知システムの構成を示す模式図である。
【図１５】第一実施形態における中継器の変形例を用いた情報処理システム及び報知システムの構成を示す模式図である。
【発明を実施するための形態】
【０００９】
以下、実施形態としてのセンサ装置（排泄検知装置）、このセンサ装置が取り付けられる吸収性物品、このセンサ装置が用いられる情報処理システムを含む報知システム及び報知方法について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、又は適宜組み合わせることができる。
【００１０】
本実施形態のセンサ装置は、吸収性物品に取り付けられる。吸収性物品は、排泄を十分に自己管理することができない成人や幼児などの着用者に装着される衛生用品である。この吸収性物品は、着用者から排泄される尿便や糞便といった糞尿をはじめ、経血やおりもの（以下、まとめて「排泄物」という。）を吸収又は保持する。吸収性物品としては、テープ型やパンツ型の紙おむつ（いわゆる「使い捨ておむつ」）又は布おむつ、尿パッド、生理用ナプキン、パンティーライナーなどが挙げられる。
本実施形態においては、パッドと紙おむつとの組み合わせで使用される複合体も吸収性物品とする。すなわち、ISO15621に規定されているように、内装体としての尿パッド（補助パッド）を外装体としての紙おむつによって装着者又は装着位置に保持する使用例において、尿パッド及び紙おむつの複合体も吸収性物品とする。
なお、吸収性物品へのセンサ装置の取り付けには、吸収性物品に対してセンサ装置を直接的に取り付けることはもちろん、吸収性物品が取り付けられる下着や補助具（ホルダーパンツ）に対してセンサ装置を間接的に取り付けることも含まれるものとする。
【００１１】
第一実施形態では、吸収性物品として紙おむつを例示する。また、第二実施形態では、吸収性物品として尿パッドと紙おむつとの複合体を例示する。これらの吸収性物品については、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、吸収性物品が着用者に装着された状態（以下「装着状態」と略称する）において、着用者の肌に向かう側（装着状態で内側）を肌面側とし、肌面側の反対側（装着状態で外側）を非肌面側とする。さらに、肌面側と非肌面側とを結ぶ方向を厚み方向とし、長手方向と厚み方向の何れにも直交する方向を幅方向とする。センサ装置についても、取り付けられる吸収性物品の各方向を用いる。そのほか、厚み方向から視ることを平面視とする。
また、本実施形態では、特に断らない限り「数値Ｘ〜数値Ｙ」なる表記が「数値Ｘ以上であって数値Ｙ以下である」ことを意味する。
【００１２】
［Ｉ．第一実施形態］
本実施形態では、図面を参照して、まず、情報処理システムで用いられるセンサ装置の取付先である紙おむつ、及び、この紙おむつに取り付けられるセンサ装置を説明する。次いで、情報処理システム、この情報処理システムを含む報知システム、この報知システムを用いた報知方法の順に各構成を説明する。また、報知方法の構成では、報知システムを用いて報知する方法を時系列に沿って述べる。
【００１３】
［１．紙おむつ］
図１，２を参照して、紙おむつ２の基本的な構成を説明する。
紙おむつ２では、シート状又はマット状の部材が積層されている。積層される各部材は、紙おむつ２での蒸れを抑えるために、通気性すなわち透湿性をもつ。つまり、紙おむつ２は通気性を有している。
この紙おむつ２には、前身頃２Ａ、股下部２Ｂ及び後身頃２Ｃの三つの領域が長手方向Ｌに沿って配置され、これらの三領域に跨って吸収体２ａが内蔵されている。
【００１４】
吸収体２ａは、液体を吸収して保持するマット状の部材である。たとえば、粉砕又は解繊されたパルプ（いわゆる「フラッフパルプ」）に高吸水性樹脂（いわゆるＳＡＰ〈Super Absorbent Polymer〉とも称される）が混合されたコアがラップシートで被包（ラップ）されたコアラップやこのコアラップに防水透湿シート（バックシート）が積層された積層体が吸収体２ａとして用いられる。
【００１５】
また、紙おむつ２の最も非肌面側には、吸収体２ａを非肌面側から被覆するようにカバーシート２ｂが積層されている。カバーシート２ｂは、紙おむつ２を補強するとともに触感（たとえば手触り）を向上させるために設けられる。なお、カバーシート２ｂは、単層構造に限らず、インナ―カバーシート及びアウターカバーシートを有する多層構造であってもよい。図１に示すように、前身頃２Ａにおけるカバーシート２ｂと後身頃２Ｃにおけるカバーシート２ｂとは、それぞれの幅方向Ｗ端縁部２ｄどうしが互いに貼り付けられる（いわゆる「サイドシール」）。このようにして、前身頃２Ａ及び後身頃２Ｃのカバーシート２ｄが連設され、図２に示すパンツ型の紙おむつ２が形成される。
【００１６】
図１，２に示す紙おむつ２は、カバーシート２ｂの非肌面側、すなわち紙おむつ２の外表面（最も非肌面側）に、つぎに説明するセンサ装置１０を所定の位置に取り付けるための案内部２０が設けられている。紙おむつ２に案内部２０を設けることでセンサ装置１０の位置決め及び取り付けが容易になる。また、案内部２０はカバーシート２ｂの非肌面側の表面に設けられているため、紙おむつ２の装着状態であっても、センサ装置１０を容易に取り付けることができる。
案内部２０が設けられる「所定の位置」とは、センサ装置１０の検出精度を確保する観点や紙おむつ２の着用者に対する違和感を抑える観点などに基づいて設定される、紙おむつ２に対するセンサ装置１０の適正位置である。ここでは、紙おむつ２の股下部２Ｂに「所定の位置」が設定される。具体的には、案内部２０は股下部２Ｂの中央領域、つまり、紙おむつ２の中心（紙おむつ２の長手方向Ｌ及び幅方向Ｗにおける中心）を含む領域に設けられる。
センサ装置１０を紙おむつ２の前身頃２Ａに取り付けると、センサ装置１０が肛門対向部２１から離間するため、糞便等の固形排泄物の検知が困難になることがある。一方、検知精度の向上を図るとセンサ装置１０における情報送信部（検出部）の大型化を招くおそれがある。つまり、検知精度の向上と装置の小型化との両立が難しい。
また、センサ装置１０を後身頃２Ｃに取り付けると、着用者が寝ている状態や座っている状態のときに、センサ装置１０による着用者の皮膚の圧迫や摩擦により、血行障害が生じ、褥瘡（いわゆる、床ずれ）を発症することがある。
そこで、検知精度の向上と装置の小型化とを両立する観点、及び、床ずれを防止する観点から、センサ装置１０の取り付け位置を案内する案内部２０を股下部２Ｂに設けている。センサ装置１０が案内部２０に取り付けられると、着用者が寝ている状態や座った状態であっても、センサ装置１０による着用者の皮膚の圧迫や摩擦が抑制されるため、床ずれの発症を防止できる。案内部２０は大腿部に挟まれた領域であり、この領域では、着用者が寝ている状態や座っている状態のときであってもセンサ装置１０から着用者の皮膚に生じる応力が小さいためと考えられる。また、案内部２０は尿道口対向部２２と肛門対向部２１との略中間に位置するため、センサ装置１０により、固形排泄物及び流動排泄物をバランスよく検知することができる。
したがって、案内部２０にセンサ装置１０を取り付けた紙おむつ２によれば、排泄物を精度よく検知することができる。また、着用者の違和感及びセンサ装置１０に起因した床ずれを抑制できる。
【００１７】
また、紙おむつ２には、上記センサ装置１０（「第一排泄検知装置」ともいう。）とは別のセンサ装置１０’（「第二排泄検知装置」ともいう。）を取り付けるための第二案内部２０’が設けられてもよい。第二案内部２０’は、股下部２Ｂにおける長手方向Ｌの一側（前身頃２Ａ方向）の端部領域、具体的には尿道口対向部２２を含む領域に設けられる。また、第二案内部２０’は、案内部２０（「第一案内部２０」ともいう。）と同様に、カバーシート２ｂの非肌面側に設けられる。
紙おむつ２に第二案内部２０’を設けることで、センサ装置１０’の位置決め及び取り付けが容易になる。紙おむつ２にセンサ装置１０，１０’を取り付ける場合には、肛門対向部２１に近いセンサ装置１０にて糞便等の固形排泄物に関する湿度・温度を検出し、尿道口対向部２２に近いセンサ装置１０’にて尿便等の流動排泄物に関する湿度・温度を検出する。このように取り付け位置によってセンサ装置１０，１０’が検出する排泄物の性状を分けることで、各センサ装置の構成を簡素にしたり、各センサ装置の検出精度を向上させることができる。また、センサ装置自体のサイズが小さくなり、着用者に対する違和感をより低減できる。なお、図５に、着用者８０がセンサ装置１０，１０’の取り付けられた紙おむつ２を装着した状態の断面模式図を示す。このように、センサ装置１０が取り付けられた紙おむつ２を「センサ付き紙おむつ２１０」と呼ぶ。
【００１８】
案内部２０，２０’は、カバーシート２ｂの非肌面側に表示された絵柄として構成される。例えば、センサ装置１０，１０’の輪郭線や矢印、十字形の印（いわゆる「トンボ」）といった種々の絵柄を案内部２０，２０’に用いることができる。
ただし、案内部２０，２０’は絵柄に限らず、センサ装置１０，１０’に対応する大きさの凹部や折線といった案内構造を案内部２０，２０’に採用してもよい。
【００１９】
また、案内部２０，２０’は、センサ装置１０，１０’が中継器９０の受信部９０Ａとの通信を中波又は短波を用いた無線通信で行うように構成される場合には、中波又は短波を透過する中波／短波透過性案内部として構成される。このような構成とすることで、センサ装置１０，１０’からの検出情報を中継器９０が良好に受信できる。
【００２０】
［２．センサ装置］
図２及び図３に示すように、センサ装置１０には、紙おむつ２における雰囲気の情報（以下「雰囲気情報」と略称する）を検出する装置本体部１１のほか、この装置本体部１１をカバーシート２ｂに取り付ける取付部１２が含まれる。
ここでは、カバーシート２ｂ及び取付部１２が互いに貼着するファスニング機構を構成している。
【００２１】
ファスニング機構としては、フック材（雄部材）とループ材（雌部材）との機械的結合により固定する面状ファスナーを用いることができる。
面状ファスナーは、表面に多数の突起（たとえば鉤状やきのこ状など）が形成されたフック材と、表面にループ状の繊維が配置されたループ材との組み合わせにより構成される。すなわち、カバーシート２ｂ及び取付部１２のうちの何れか一方にフック材が設けられ、他方にループ材が設けられる。面状ファスナーを用いることで、フック材及びループ材を剥離可能な状態としつつ強固に貼着させることができ、繰り返して使用することもできる。
【００２２】
ただし、面状ファスナーに替えて又は加えて、粘着剤や粘着テープなどをファスニング機構に用いてもよい。
上記したカバーシート２ｂと取付部１２との間には装置本体部１１が挟まれ、この装置本体部１１が紙おむつ２の股下部２Ｂにおける案内部２０により位置決めされて、紙おむつ２に取り付けられる。
【００２３】
［２−１．装置本体部］
装置本体部１１には、雰囲気情報を検出するセンサ部１１Ｂやこのセンサ部１１Ｂに給電するバッテリ１１Ｃ（電源機器）を内蔵するハウジング１１Ａが設けられる。
このハウジング１１Ａは、内蔵されるセンサ部１１Ｂ及びバッテリ１１Ｃを水分から保護するために防水性を有するものの、通気性は無い。
【００２４】
ただし、ハウジング１１Ａの一部には検出口が穿設されている。この検出口には、センサ部１１Ｂのうちの検出部１１ａ（露出部位）が配置されている。そのため、取り付けられた状態の装置本体部１１では、肌面側に露出した状態の検出部１１ａが雰囲気情報を検出する。具体的に言えば、静電容量型の検出部１１ａが用いられており、この検出部１１ａで静電容量が検出される。そして、処理部１１ｂによって検出された静電容量に対応する雰囲気情報が演算処理される。
ここでは、雰囲気情報として、検出部１１ａと着用者との間に位置する紙おむつ２の湿度及び温度が検出される。そのため、以下の説明では、紙おむつ２の雰囲気情報として検出される湿度及び温度をまとめて湿度・温度と呼ぶ。
【００２５】
そのほか、ハウジング１１Ａは、衛生機器に要求される基本的な性能をもつ。たとえば、尿便が排泄される紙おむつ２に装置本体部１１が取り付けられることから、耐水性又は撥水性やアンモニアに対する耐性をハウジング１１Ａにもたせることが好ましい。また、装置本体部１１を繰り返して使用する際に清潔性を確保する観点から、次亜塩素酸などの殺菌剤に対する耐薬品性や抗菌性をハウジング１１Ａにもたせることが好ましい。さらに、視認性を向上させる観点から、蓄光性、蛍光性又は発光性をハウジング１１Ａにもたせてもよい。
【００２６】
また、着用者に対する装置本体部１１の異物感を軽減させるために、内蔵された機器の保護性を確保した剛度をもたせたうえでハウジング１１Ａの剛度を低下させてもよいし、装置本体部１１の浸水を考慮して機器を内蔵したハウジング１１Ａ（すなわち装置本体部１１）に浮力をもたせてもよい。
なお、図２及び図３では、平面視で楕円型をなすハウジング１１Ａを例示するが、内蔵されるセンサ部１１Ｂの形状又は大きさ、設計上や意匠上の要求などに応じて種々の形状や大きさのハウジング１１Ａを採用することができる。たとえば、着用者に対する装置本体部１１の異物感を軽減させる観点から、滑らかな表面形状のハウジング１１Ａを採用することができる。また、着用者による装置本体部１１の誤飲を防止する観点から、少なくとも一方向の寸法が所定寸法よりも大きいハウジング１１Ａを採用することもできる。
具体的には、着用者に対する違和感を抑える観点から、装置本体部１１の幅寸法は通常１〜５０ｍｍ、好ましくは１〜４０ｍｍ、より好ましくは１〜３０ｍｍであり、長手寸法は通常１〜１００ｍｍ、好ましくは１〜７０ｍｍ、より好ましくは１〜５０ｍｍであり、厚み寸法は通常１〜３０ｍｍ、好ましくは１〜２０ｍｍ、より好ましくは１〜１５ｍｍである。
上記した装置本体部１１は、つぎに説明する取付部１２によって紙おむつ２に取り付けられる。
【００２７】
［２−２．取付部］
取付部１２は、平面視において、装置本体部１１の少なくとも一部を被覆したうえで、装置本体部１１よりも大きな領域に延在する形状を有する。
図２及び図３では、平面視でＸ字型であって装置本体部１１の大部分を被覆する取付部１２を例示する。
【００２８】
ただし、取り付けられる装置本体部１１の形状や大きさ、設計上や意匠上の要求などに応じて種々の形状や大きさの取付部１２を採用することができる。たとえば、紙おむつ２への装置本体部１１の取付けを確実にするために、平面視で装置本体部１１の全部を被覆する大きさ又は形状の取付部１２を採用することができる。また、取付部１２の材料を低減させるために、帯状の取付部１２を採用することもできる。
【００２９】
この取付部１２は、紙おむつ２に対して装置本体部１１を取り付けることによる通気性の低下を抑えるために、少なくとも一部の通気領域ＲVに紙おむつ２よりも高い通気性を有する。
たとえば、通気領域ＲVの通気性は、紙おむつ２の股下部２Ｂにおける吸収体２ａよりも高い通気性とされる。この通気領域ＲVの通気性は、通気抵抗で評価することができる。通気抵抗とは、空気が流れるときの抵抗である。そのため、通気抵抗が小さいほど通気性が高い。具体的に言えば、通気領域ＲVの通気抵抗は、１．００［ｋＰａ・ｓ／ｍ］以下であることが好ましく、０．８０［ｋＰａ・ｓ／ｍ］以下であることがより好ましく、０．５０［ｋＰａ・ｓ／ｍ］以下であることがさらに好ましい。通気抵抗が１．００［ｋＰａ・ｓ／ｍ］以下の通気領域ＲVをもつ取付部１２であれば、一般的な紙おむつ２の通気性よりも高く、通気抵抗が小さいほど通気性に関する着用者の快適性が確保される。これに対して、股下部２Ｂにおける吸収体２ａの通気抵抗は１．３〜１．５［ｋＰａ・ｓ／ｍ］とされる。
【００３０】
ここでは、取付部１２の全領域が通気領域ＲVとされる。そのため、通気領域ＲVには、平面視で装置本体部１１に対して取付部１２が重複しない領域が含まれる。
図４に示すように、取付部１２では、通気層１２ａ及び付着層１２ｂが積層されている。装置本体部１１を紙おむつ２に取り付けた状態の取付部１２では、通気層１２ａに対して肌面側に付着層１２ｂが配置される。なお、図４では取付部１２の構成を把握しやすくするため、その厚みを誇張して示す。
【００３１】
ここでは、通気層１２ａの全部に対して付着層１２ｂが積層されている。言い換えれば、平面視における通気層１２ａ及び付着層１２ｂの各形状が一致している。
取付部１２の全領域が通気領域ＲVであることから、通気層１２ａ及び付着層１２ｂが積層された二層の通気性が紙おむつ２の通気性よりも高い。たとえば、付着層１２ｂよりも通気層１２ａの通気性が高く設定され、紙おむつ２よりも付着層１２ｂの通気性が高く設定される。
【００３２】
通気層１２ａとしては、通気性の確保された材料であれば、不織布やフィルムといった種々の公知材料を用いることができる。各種材料を積層又は複合化し、部分的に異なる性質を付与した通気層１２ａを用いてもよい。また、通気性の無い又は低い材料に孔開けなどの加工を施し、通気性を付与したものを通気層１２ａとして使用してもよい。付着層１２ｂとしては、ファスニング機構の一方又は他方を構成する材料であれば、樹脂材や粘着剤といった種々の公知材料を用いることができる。
そのほか、取付部１２も撥水性をはじめとした衛生用品に要求される基本的な性能をもつ。たとえば、通気層１２ａ及び付着層１２ｂの少なくとも一方には、取付部１２の撥水性を確保するために公知の撥水材料が用いられる。
【００３３】
また、視認性を向上させる観点から、取付部１２に蓄光性、蛍光性又は発光性をもたせてもよい。
さらに、装置本体部１１と取付部１２との間に、装置本体部１１と取付部１２とを確実に固定する補助取付部を追加してもよい。この補助取付部としては、装置本体部１１の非肌面側に貼着するとともに取付部１２の肌面側に付着する部材を用いることができる。
【００３４】
［３．情報処理システム］
つぎに、図６及び図７を参照して、報知システム１が利用する情報処理システム３０を説明する。情報処理システム３０では、コンピュータ１００に対して複数の中継器９０が接続され、各中継器９０の受信部９０Ａがセンサ装置１０に無線回線４０を介して接続されるようになっている。このような情報処理システム３０を利用して、報知システム１が構築される。報知システム１には、情報処理システム３０に加えて、コンピュータ１００に接続された報知デバイス１３０（報知部）が含まれる。なお、センサ装置１０は、上述したおむつ２に取り付けられている。
【００３５】
まず、図６を参照して、コンピュータ１００の基本構成を述べる。なお、ここでいうコンピュータ１００には、据え置き型やモバイル型のパーソナルコンピュータのほか、いわゆるタブレットやスマートフォンなどの多機能携帯端末、クラウドコンピュータなどが含まれる。
コンピュータ１００には、ＣＰＵ（Central Processing Unit）やＭＰ（Multi Processor）などの演算部１１０と、ＲＯＭ（Read Only Memory）やＲＡＭ（Random Access Memory）などのメモリ１２０（蓄積部）と、ＨＤＤ（Hard Disk Drive）、ＳＳＤ（Solid State Drive）、光学ドライブ、フラッシュメモリやリーダライタなどの外部記憶装置１２１、キーボードやマウスなどの入力装置１２２、ディスプレイやプリンタ装置などの出力装置１２３、無線又は有線で送受信する通信装置１２４が設けられる。これらの各デバイス１１０，１２０，１２１，１２２，１２３，１２４は、コンピュータ１００の内部に設けられた制御バスやデータバスなどのバス１２５を介して互いに通信可能に接続される。
【００３６】
このコンピュータ１００は、プログラム１２６を実行可能な汎用のコンピュータである。このプログラム１２６は、外部記憶装置１２１にインストールされる。
なお、光学ドライブ、フラッシュメモリ、リーダライタなどで読み取り可能な記録媒体１２７にプログラム１２６を記録しておいてもよい。また、コンピュータ１００が接続可能なネットワーク上のオンラインストレージ１２８（蓄積部）にプログラム１２６を記録しておいてもよい。何れにしても、コンピュータ１００の外部記憶装置１２１にプログラム１２６をダウンロードする、又は、演算部１１０やメモリ１２０にプログラム１２６を読み込むことで、プログラム１２６が実行可能であればよい。
【００３７】
この情報処理システム３０には、コンピュータ１００の入力側に、少なくとも一つの受信部９０Ａ付き中継器９０（以下、「受信部９０Ａ付き中継器９０」を単に「中継器９０」ということがある。）を介して、上述したセンサ装置１０が設けられている。また、中継器９０とコンピュータ１００とは無線回線又は有線回線を介して接続されている。具体的には、センサ装置１０と中継器９０とコンピュータ１００とは、ｂｌｕｅｔｏｏｔｈ（登録商標）、ｗｉｆｉや適時の世代の無線回線（例えば３Ｇ，４Ｇ，５Ｇ等の回線）等の無線又は有線で情報伝達可能に接続される。ここでは、湿度・温度がセンサ装置１０から中継器９０を介してコンピュータ１００に伝達され、伝達された湿度・温度に基づいてコンピュータ１００が情報処理を行う。
【００３８】
なお、情報処理システム３０は、単数の着用者だけでなく、複数の着用者に対して適用することができる。すなわち、複数人の着用者に装着される紙おむつ２のそれぞれにセンサ装置１０が取り付けられ、各センサ装置１０から中継器９０を介してコンピュータ１００に湿度・温度が入力されてもよい。この場合には、着用者のそれぞれを識別するためのＩＤ情報が各センサ装置１０から中継器９０を介してコンピュータ１００に出力され、ＩＤ情報のそれぞれに紐付けられた湿度・温度がコンピュータ１００に入力される。
【００３９】
［３−１．コンピュータ］
コンピュータ１００では、センサ装置１０で検出された湿度・温度が上述したメモリ１２０に記憶（蓄積）される。また、センサ装置１０で検出された湿度・温度がデータサーバなどのオンラインストレージ１２８に蓄積されてもよい。この場合には、オンラインストレージ１２８に蓄積された湿度・温度にコンピュータ１００からアクセス可能なものとする。
つづいて、メモリ１２０又はオンラインストレージ１２８に記憶された湿度・温度に基づいて着用者の排泄に関する情報（以下「排泄情報」という）が演算部１１０で演算される。
以下、メモリ１２０、演算部１１０の順に各構成を詳述する。
【００４０】
［３−１−１．メモリ］
メモリ１２０には、センサ装置１０で検出された湿度・温度が所定の周期で取り込まれる。すなわち、センサ装置１０は、所定の周期で湿度・温度を中継器９０に出力する。中継器９０は受信した湿度・温度をコンピュータ１００に送信する。そして、メモリ１２０は、各周期で伝達された湿度・温度を記憶し蓄積する。
なお、ここでいう所定の周期は、１秒、５秒、３０秒、１分、５分といった種々の周期に設定される。更に言えば、所定の周期は、一定の周期に限らず、可変の周期であってもよい。
【００４１】
［３−１−２．演算部］
演算部１１０は、メモリ１２０に記憶された湿度・温度の変動に基づいて排泄情報を演算する。
なお、演算部１１０は、湿度・温度のうち一方の変動に基づいて排泄情報を演算してもよい。この場合にセンサ装置１０で検出する雰囲気情報は、湿度又は温度だけでよい。このように雰囲気情報が一種の場合には、センサ装置１０を簡素な構成とすることができる。これに対し、雰囲気情報が湿度及び温度の二種の場合には、排泄情報の精度を確実に確保することができ、更に言えば、排泄物の種類や性状を推定することも可能となる。
【００４２】
この演算部１１０には、排泄情報を演算するために、着用者の排泄時点（排泄をしたタイミング）を判定する判定部１１１、排泄時点からの経過時間ｔを計測するタイマ１１２、排泄物の種類を類別する類別部１１３の三つの機能要素が設けられている。これらの機能要素は、実行されるプログラム１２６の一部の機能を示すものであり、ソフトウェアで実現されるものとする。ただし、各機能の一部又は全部をハードウェア（電子回路）で実現してもよく、又はソフトウェアとハードウェアとを併用して実現してもよい。
【００４３】
〈判定部〉
判定部１１１は、湿度・温度が変動した量に基づいて着用者の排泄時点を判定する。具体的には、湿度・温度の変動のうち上昇に着目して設定された下記の条件Ａ１又はＡ２が成立した場合に、着用者の排泄時点を判定する。
条件Ａ１：湿度・温度の上昇度合いが排泄上昇度合いよりも大きいこと
条件Ａ２：湿度・温度が所定上昇値を上回ること
上記の条件Ａ１における「度合い」とは、単位時間あたりの変動量を意味する。そのため、条件Ａ１は、湿度・温度の単位時間あたりの正の変動量が所定量よりも大きいことと言うこともできる。
【００４４】
この条件Ａ１は、排泄時に紙おむつ２の湿度や温度が急上昇することから、湿度・温度が上昇する度合いに着目して設定された条件である。これに関し、交換直後の紙おむつ２においても湿度や温度は緩やかに上昇する。しかしながら、交換直後の紙おむつ２における湿度・温度の上昇度合いよりも、排泄時における紙おむつ２の湿度・温度の上昇度合いのほうが大きい。そこで、前者の上昇度合いを排除しつつ後者の上昇度合いを判別するために、実験的又は経験的に排泄上昇度合いが予め設定される。
したがって、条件Ａ１の「排泄上昇度合い」は、排泄時点の判定閾値として、交換直後の紙おむつ２における湿度・温度の上昇度合いよりも大きく、かつ、排泄時における紙おむつ２の湿度・温度の上昇度合いよりも小さく設定される。
【００４５】
上記の条件Ａ２は、排泄時に紙おむつ２の湿度や温度が高くなることから、湿度・温度の上昇した値に着目して設定された条件である。これに関し、条件Ａ１で述べたように、交換直後の紙おむつ２においても湿度・温度の値は緩やかに上昇する。その後、湿度・温度はほぼ一定値を保持する。そして、排泄時には、湿度・温度の値が保持された一定値から更に上昇する。そこで、前者の上昇を排除しつつ後者の上昇を判別するために、実験的又は経験的に所定上昇値が予め設定される。
したがって、条件Ａ２の「所定上昇値」は、排泄時点の判定値として、紙おむつ２の交換直後に上昇してから保持される湿度・温度の一定値よりも大きく、かつ、排泄時に上昇した湿度・温度の最大値よりも小さく設定される。
【００４６】
そのほか、着用者の排泄時点を判定する条件として下記の条件Ａ３を含ませてもよい。
条件Ａ３：湿度・温度のうち温度が上昇して低下したこと
上記の条件Ａ３は、排泄時に紙おむつ２の温度が上昇したのちに低下することから、この温度の上下変動に着目して設定された条件である。この条件Ａ３に関し、紙おむつ２では、交換されてから排泄するまでの間に温度は基本的に低下しない。一方、排泄後の紙おむつ２では、上述したように排泄直後には温度が上昇し、その後には排泄物の放熱によって温度が低下する。
なお、条件Ａ３には、センサ装置１０で排泄時以外に検出される温度の小さな変動やセンサ装置１０の検出誤差を排除するために、所定温度幅よりも大きく温度が上昇及び低下したことを条件とすることが好ましい。
【００４７】
さらに、判定部１１１は、紙おむつ２の交換時点（着用者が紙おむつ２を装着した時点〈着用時点〉）を判定してもよい。具体的には、湿度・温度の変動のうち低下に着目して設定された下記の条件Ｂ１又はＢ２が成立した場合に、紙おむつ２の交換時点であることを判定部１１１で判定することができる。
条件Ｂ１：湿度・温度の低下度合いが交換低下度合いよりも大きいこと
条件Ｂ２：湿度・温度が所定低下値を下回ること
【００４８】
上記の条件Ｂ１は、上述した条件Ａ１とは反対に、交換時の紙おむつ２において湿度や温度が急低下することから、湿度・温度が低下する度合いに着目して設定された条件である。この条件Ｂ１は、湿度・温度の単位時間あたりの負の変動量の絶対値が所定量よりも大きいことと言うこともできる。
また、上記の条件Ｂ２は、上述した条件Ａ２とは反対に、交換時の紙おむつ２において湿度や温度が低くなることから、湿度・温度の低下した値に着目して設定された条件である。
【００４９】
これらの条件Ｂ１及びＢ２の交換低下度合いや所定低下値も、判定閾値や判定値として実験的又は経験的に予め設定される。
ただし、判定部１１１による交換時点の判定を省略し、着用者やその介護者によって手動で紙おむつ２の交換時点をコンピュータ１００に入力してもよい。
そのほか、上述した条件Ｂ１，Ｂ２を用いた判定や手動入力で得られた紙おむつ２の交換時点から排泄の有無を判定するなどの機能を判定部１１１にもたせてもよい。すなわち、紙おむつ２の交換時点をゼロ点（基準）としたうえで、判定部１１１に各種の判定を実施させてもよい。
【００５０】
〈タイマ〉
タイマ１１２は、判定部１１１で判定された排泄時点からの経過時間ｔを計測する。すなわち、タイマ１１２は、条件Ａ１又はＡ２が成立したときに始動する。なお、タイマ１１２は、条件Ｂ１又はＢ２が成立したときや紙おむつ２の交換時点が入力されたときに停止（リセット）される。
【００５１】
〈類別部〉
類別部１１３は、判定部１１１で判定された排泄時点からの湿度・温度の低下度合いに基づいて、着用者からの排泄物の種類を類別する。
この類別部１１３は、尿便や経血といった流動体の排泄物（流動排泄物）と糞便やおりものといった固形の排泄物（固形排泄物）とを類別する。排泄物は、下記の条件Ｃ１が成立した場合に流動体と類別され、条件Ｃ１が成立しない場合に固形と類別される。
条件Ｃ１：排泄時点からの湿度・温度の低下度合いが類別低下度合い（第一所定低下
度合い）よりも大きいこと
【００５２】
上記の条件Ｃ１は、流動体の排泄物のほうが固形の排泄物よりも熱容量が概ね小さいことや、流動体の排泄物は拡散して温度低下しやすいのに対して固形の排泄物は拡散しにくく温度低下しにくいことに着目して設定された条件である。
そのため、条件Ｃ１の「類別低下度合い」は、判定閾値として、流動体の排泄物が排泄されたときの湿度・温度の低下度合いよりも小さく、かつ、固形の排泄物が排泄されたときの湿度・温度の低下度合いよりも大きく設定される。なお、「類別低下度合い」は、上述した条件Ｂ１に関する「交換低下度合い」よりも小さい度合いとして、実験的又は経験的に予め設定される。
【００５３】
さらに、類別部１１３は、下記の条件Ｃ２の成否によって、流動体の排泄物を、水様便（第一流動排泄物）と尿便（第二流動排泄物）とに細別してもよい。具体的には、下記の条件Ｃ２が成立した場合に流動体の排泄物が尿便に細別され、下記の条件Ｃ２が成立しない場合に流動体の排泄物が水様便と細別される。
条件Ｃ２：排泄時点からの湿度・温度の低下度合いが細別低下度合い（第二所定低下
度合い）よりも大きいこと
上記の条件Ｃ２は、流動体の排泄物のなかでも、水様便よりも尿便のほうが拡散して温度低下しやすいこと（性状によって湿度・温度の挙動が異なること）に着目して設定された条件である。なお、「細別低下度合い」は上記した「類別低下度合い」よりも大きく設定される。
【００５４】
そのほか、排泄時点の判定に上記の条件Ａ３が含まれていなければ、判定部１１１で判定された排泄時点からの湿度・温度の上昇度合いに基づいて、着用者からの排泄物の種類を類別することもできる。この場合には、上記した排泄物の類別や細別の条件Ｃ１〜Ｃ３に用いる種々の「低下度合い」を「上昇度合い」と読み替えることで、さまざまな種類の排泄物を類別又は細別することができる。
なお、上記の条件における「排泄上昇度合い」、「所定上昇値」、「交換低下度合い」、「所定低下値」、「類別低下度合い」は、湿度・温度のそれぞれに設定される。
【００５５】
〈排泄情報の演算〉
演算部１１０は、上述した判定部１１１、タイマ１１２、類別部１１３の演算結果を用いて排泄情報を演算する。
この排泄情報としては、排泄の有無、排泄時点、排泄物の種類、着用者の不快度などが挙げられる。排泄の有無や排泄時点は、判定部１１１での判定結果から得られる。排泄物の種類は、類別部１１３での類別結果から得られる。着用者の不快度は、下記の表１に示すように、判定部１１１における排泄時点の判定結果の有無、タイマ１１２で計測された経過時間ｔ、類別部１１３で類別された排泄物の種類に基づいて演算される。
【００５６】
【表１】
2019130244.tif 000003
【００５７】
以下、着用者の不快度について、上記の表１を参照して、四つの演算手法を例示する。
ここでは、着用者の不快度を「○」、「△」、「×」の順に不快な度合いが強くなる三段階に評価している。「○」は快適であり、「△」はやや不快であり、「×」はとても不快である状態を示す。そのため、不快な状態は、「△」及び「×」の二段階に評価される。
【００５８】
第一の演算手法は、紙おむつ２に排泄物が排泄されていない状態では、着用者の快適性が保たれるとの知見に基づいて設定されている。そのため、第一の演算手法では、判定部１１１での排泄時点の判定がされていない場合に、不快度を「○」と演算する。
一方、第二〜第四の演算手法は、紙おむつ２に排泄物が排泄された状態では、着用者の快適性が損なわれるとの知見に基づいて設定されている。これらの第二〜第四の演算手法は、判定部１１１での排泄時点の判定がされた場合に実施される。
【００５９】
第二〜第四の演算手法のうち、第二及び第三の演算手法では流動体の排泄物に起因する不快度を演算し、第四の演算手法では固形の排泄物に起因する不快度を演算する。そのため、類別部１１３で類別された排泄物の種類が流動体であるときに第二及び第三の演算手法が実施され、類別部１１３で類別された排泄物の種類が固形であるときに第四の演算手法が実施される。
【００６０】
第二の演算手法は、流動体の排泄物が排泄されて所定時間ｔＰが経過するまでの間には、排泄物の放熱にともなう温度低下が進行しておらず、着用者の快適性の低下も大幅には進行していないとの知見に基づいて設定されている。これに対し、第三の演算手法は、流動体の排泄物が排泄されて所定時間ｔＰが経過した後には、排泄物の放熱にともなう温度低下が進行し、着用者の快適性の低下も進行したとの知見に基づいて設定されている。
【００６１】
そのため、経過時間ｔの長短に着目し、第二の演算手法では経過時間ｔが所定時間ｔＰ未満であれば不快度を「△」と演算し、第三の演算手法では経過時間ｔが所定時間ｔＰ以上であれば不快度を「×」と演算する。
なお、ここでいう「所定時間ｔＰ」は、排泄後に紙おむつ２の温度が着用者の快適度を損なう温度を下回るのに要する時間として実験的又は経験的に予め設定される。たとえば、排泄後における紙おむつ２の温度が排泄前に保持される温度に低下するまでの時間が「所定時間ｔＰ」に設定される。
【００６２】
第四の演算手法は、固形の排泄物が排泄されると、排泄時点からの経過時間ｔにかかわらず、着用者の快適性が損なわれるとの知見に基づいて設定されている。詳細に言えば、固形の排泄物が排泄された場合には、流動体の排泄物が排泄された場合に比べて温度低下しにくいことから、温度低下による快適性の低下は抑えられる。しかしながら、固形の排泄物は、吸収体２ａに吸収されずに紙おむつ２と着用者との間に介在しつづけることから、着用者の快適性を低下させるとの知見に基づいて第四の演算手法が設定される。そのため、第四の演算手法では、類別部１１３で類別された排泄物の種類が固形であるときに、不快度を「×」と演算する。
【００６３】
そのほか、演算部１１０は、排泄時点からの湿度・温度の変動量に基づいて、排泄情報を演算してもよい。たとえば、センサ装置１０で検出された温度が排泄時点以降に所定温度幅（所定量）よりも大きく低下したときに、不快度を「×」としてもよい。
上述したような演算処理を上記のプログラム１２６によりコンピュータ１００が実行する。
【００６４】
［３−２．中継器］
中継器９０は、その受信部９０Ａにて無線回線４０を介してセンサ装置１０から送信された検出情報（雰囲気情報）を受信し、受信した検出情報をコンピュータ１００に無線又は有線で送信する機能を有する。このように、センサ装置１０の検出情報は、中継器９０を経由（中継）してコンピュータ１００に伝達される。
なお、本実施形態では、受信部９０Ａが中継器９０と一体になったものであるため、配設状態の説明において、中継器９０といった場合と中継器９０の受信部９０Ａといった場合とで、その意味は同じである。
また、中継器９０は、センサ装置１０から送信された検出情報を表示する機能や、検出情報の経時変化を表示する機能を有してもよい。また、中継器９０は検出情報を受信するための受信部９０Ａを有していてもよい。
【００６５】
中継器９０の受信部９０Ａは、着用者が滞在する室内（空間）に少なくとも一つ配設される。以下において、中継器９０を着用者が滞在する空間に複数配設する例を挙げて説明する。中継器９０を複数配設する場合には、中継器９０の受信部９０Ａは、着用者に装着されたおむつ２に取り付けられたセンサ装置１０からの雰囲気情報を室内における複数の位置のうち少なくとも一つの位置で検出すべく、室内における複数の位置に対応したそれぞれの位置に少なくとも一つ設けられる。
ここでいう「着用者が滞在する室内」とは、介護施設や病院等といった複数の着用者（要介護者）が滞在する施設における一室の内部を意味する。室内に複数設置される中継器９０どうしの間隔は特に限定されない。中継器９０（以下、この実施形態において中継器９０といった場合は、中継器９０の受信部９０Ａと同義である。）どうしの間隔は、例えば、室内に滞在する要介護者の人数、要介護者の行動範囲や移動速度や、検出情報の受信を妨げるおそれのある障害物（例えば家具等）の配置等に応じて適宜設定される。なお、着用者が滞在する室内における方向を「重力方向」、「第一方向」及び「第二方向」で定義する。重力方向に直交する方向を「第一方向」とし、重力方向及び第一方向に直交する方向を「第二方向」とする。
【００６６】
中継器９０と着用者自身の身体（特に大腿部）との位置関係や、障害物の配置によっては、中継器９０が検出情報を受信しにくいことがある。例えば、着用者が室内を歩行している状態（着用者の進行方向を第一方向とする。）では、センサ装置１０から送信される検出情報は、着用者自身の身体に妨げられ、重力方向の上方や、第二方向に位置する中継器９０では受信しにくい。この場合、第一方向（特に着用者の進行方向、つまり前方）や、重力方向の下方に位置する中継器９０により検出情報を受信することで、検出情報の受信精度が維持される。また、着用者がベッドに仰向けに寝ている状態（頭部と足先とを結ぶ方向を第一方向とする。）では、検出情報は、第一方向の一方（頭部側）及び第二方向に位置する中継器９０では受信しにくい。この場合、第一方向の他方（足先側）及び重力方向に位置する中継器９０により検出情報を受信することで、受信精度が維持される。
つまり、中継器９０が、着用者の滞在する室内においてセンサ装置１０からの検出情報を検出しうる複数の位置に対応したそれぞれの位置に少なくとも一つ設けられることで、検出情報を効率よく受信できるため、検出情報の受信精度が維持される。
その結果、中継器９０を介してコンピュータ１００に入力される検出情報の精度が向上する。
【００６７】
また、中継器９０は、着用者が空間内のある場所に滞在しているときに、センサ装置１０からの雰囲気情報を空間内のある場所に対し複数の位置のうち少なくとも一つの位置で検出すべく、複数設けられている。上記例示（着用者がベッドに仰向けに寝ている状態）に則して言い換えれば、着用者がベッドに滞在しているとき、つまり、着用者がベッドに仰向けに寝ているときに、ベッドに対する複数の位置（第一方向、第二方向及び重力方向の位置）のうち、少なくとも一つの位置（第一方向の他方（足先側）や重力方向の位置）の中継器９０が雰囲気情報を検出しうるように複数配設される。
このように、着用者の滞在場所に対して、雰囲気情報を検出しうる中継器９０を複数設けることで、雰囲気情報の受信精度が向上する。
【００６８】
また、複数の中継器９０の少なくとも一部の中継器９０は、センサ装置１０よりも下方の位置に設けられている。少なくとも一部の中継器９０をセンサ装置１０の位置よりも下方に設置することで、センサ装置１０から送信された検出情報が着用者自身の身体（特に大腿部）により遮断されにくくなる。つまり、中継器９０は検出情報を受信しやすくなる。したがって、コンピュータ１００に入力される検出情報の精度がより向上する。
なお、「センサ装置１０よりも下方」とは、センサ装置１０が取り付けられる股下部２Ｂよりも重力方向に低い位置をいう。例えば、着用者が立位や座位の場合には、着用者の股下部２Ｂよりも重力方向に低い位置にある壁や床に中継器９０が設けられ、着用者が寝ている状態（臥位）の場合には、床に中継器９０が設けられる。着用者の滞在空間が施設等の談話室のような場合には、着用者は椅子に座った状態（座位姿勢）でいることが多いため、椅子の座面よりも低い位置の壁や、床に中継器９０が埋設される。このように、着用者の姿勢、つまりセンサ装置１０の位置に応じて中継器９０は適宜配設される。
また、残りの中継器９０は、センサ装置１０と同じ高さ又はセンサ装置１０よりも上方に設置される。中継器９０をセンサ装置１０よりも上方及び下方に配設する割合は、室内における着用者の行動パターンや、障害物の配置等に応じて適宜設定される。
また、全ての中継器９０をセンサ装置１０よりも下方に設置してもよい。
【００６９】
また、複数の中継器９０の少なくとも一部の中継器９０は、着用者が滞在する空間を構成する壁及び／又は床に埋め込まれている。壁又は床に埋め込まれた中継器９０は、着用者の移動の邪魔になることがなく、所定範囲内に位置するセンサ装置１０からの検出情報を良好に受信できる。このような観点からは、全ての中継器９０が施設等の壁及び／又は床に埋め込まれていることが好ましい。
【００７０】
また、センサ装置１０と中継器９０との間の無線回線４０は、中波又は短波を用いた無線回線である。つまり、センサ装置１０は、検出情報を中波又は短波を用いた無線通信により中継器９０に送信する。中波とは３００ｋＨｚ以上３ＭＨｚ未満の周波数を有する電波であり、短波とは３ＭＨｚ以上３０ＭＨｚ未満の周波数を有する電波である。中波又は短波は人体により遮断されにくい性質を有する。中波又は短波を用いた無線回線、好ましくは中波を用いた無線回線によれば、センサ装置１０から送信された検出情報を精度よく中継器９０が受信できる。したがって、コンピュータ１００に入力される検出情報の精度がさらに向上する。
【００７１】
以下において、介護施設や病院といった施設に情報処理システム３０が適用された例を挙げて説明する。図１１に示す情報処理システム３０では、サーバとして機能するクラウドコンピュータ１００’（コンピュータ）に対して複数の中継器９０が接続され、各中継器９０の少なくとも一つにセンサ装置１０が接続されるようになっている。そして、図１１に示すように、このようなツリー構造のネットワークトポロジーをなす情報処理システム３０を利用して、報知システム１が構築されている。報知システム１には、情報処理システム３０に加えて、クラウドコンピュータ１００’に接続された報知デバイス１３０’（報知部）が含まれる。ここでは報知デバイス１３０’として、据え置き型やモバイル型のパーソナルコンピュータ１３０Ａ’や、いわゆるタブレットやスマートフォンなどの多機能携帯端末１３０Ｂ’などが挙げられる。
なお、図１１中では、各センサ装置１０を区別して符号１０Ａ〜１０Ｇで示す。また、各中継器９０を区別する場合は、符号９１〜９４を用いて説明し、各中継器９０の受信部９０Ａを区別する場合は、符号９１Ａ〜９４Ａを用いて説明する。
【００７２】
この情報処理システム３０では、複数の要介護者（着用者）のそれぞれにセンサ付き紙おむつ２１０が装着される。また、要介護者のグループが滞在しうる空間（互いに異なる地点）ごとに複数の中継器９０が設置されている。例えば、図１１に示すように、四人部屋の寝室Ｌ１（第一地点）に第一中継器９１及び第二中継器９２が設置され、寝室Ｌ１に隣接する食堂Ｌ２（第二地点）に第三中継器９３及び第四中継器９４が設置される。図１１には、四つのセンサ付き紙おむつ２１０Ａ〜２１０Ｄのそれぞれを装着する要介護者が寝室Ｌ1に滞在しており、三つのセンサ付き紙おむつ２１０Ｅ〜２１０Ｇのそれぞれを装着する要介護者が食堂Ｌ2に滞在している状況を例示する。
【００７３】
たとえば、寝室Ｌ1の第一要介護者に第一センサ付き紙おむつ２１０Ａが装着されており、この紙おむつ２Ａに取り付けられた第一センサ装置１０Ａは、紙おむつ２Ａの湿度・温度を検出し、この検出情報を第一中継器９１に中波又は短波を用いた無線で送信する。同様に、寝室Ｌ1の第三要介護者に第三センサ付き紙おむつ２１０Ｃが装着されており、この紙おむつ２Ｃに取り付けられた第三センサ装置１０Ｃは、紙おむつ２Ｃの湿度・温度を検出し、この検出情報を第二中継器９２に中波又は短波を用いた無線で送信する。
また、食堂Ｌ2の第五要介護者に第五センサ付き紙おむつ２１０Ｅが装着されており、この紙おむつ２Ｅに取り付けられた第五センサ装置１０Ｅは、紙おむつ２Ｅの湿度・温度を検出し、この検出情報を第三中継器９３に中波又は短波を用いた無線で送信する。同様に、食堂Ｌ2の第六要介護者に第六センサ付き紙おむつ２１０Ｆが装着されており、この紙おむつ２Ｆに取り付けられた第六センサ装置１０Ｆは、紙おむつ２Ｆの湿度・温度を検出し、この検出情報を第四中継器９４に中波又は短波を用いた無線で送信する。
ここで、第一中継器９１は寝室Ｌ1の床に埋設されており、第二中継器９２は寝室Ｌ1の天井に埋設されている。また、第三中継器９３は食堂Ｌ2の床に埋設されており、第四中継器９４は食堂Ｌ2の天井に埋設されている。
【００７４】
中継器９１〜９４は、センサ装置１０から送信された検出情報を表示する機能をもち、各要介護者に対応する検出情報の経時変化をそのまま表示する。
中継器９１〜９４は、複数のセンサ装置１０から送信された情報をクラウドコンピュータ１００’に無線又は有線で送信する。このように、センサ装置１０の検出情報は、中継器９１〜９４を経由（中継）してクラウドコンピュータ１００’に伝達される。
【００７５】
さらに、中継器９１〜９４からクラウドコンピュータ１００’に送信される検出情報のそれぞれには、経由した中継器９１〜９４（固有中継器）の識別情報が紐付けられる。例えば、第三センサ装置１０Ｃの検出情報は、第二中継器９２の識別情報とともにクラウドコンピュータ１００’に伝達される。
クラウドコンピュータ１００’には、上述した機能を少なくとももつ演算部１１０’、判定部１１１’、タイマ１１２’、類別部１１３’、メモリ１２０’などが含まれる。
【００７６】
この演算部１１０’は、伝達された検出情報に紐付けられた識別情報に基づいて、対応するセンサ装置１０の取り付けられた紙おむつ２を着用する要介護者の位置を推定する。具体的には、演算部１１０’は、センサ装置１０の検出情報が経由した中継器９０の設置された地点又はその周辺（所定範囲）に要介護者が位置すると推定する。
【００７７】
逆に、所定のセンサ装置１０の検出情報がクラウドコンピュータ１００’に伝達されていなければ、中継器９１〜９４の設置された地点やその周辺に所定のセンサ装置１０に対応する要介護者が位置していないと推定する。
詳細に言えば、クラウドコンピュータ１００’のメモリ１２０’に情報送信元のセンサ装置１０を記憶し、メモリ１２０’に記憶されたセンサ装置１０の検出情報が得られないときには、そのセンサ装置１０に対応する要介護者が中継器９１〜９４に対して検出情報を送信できる範囲内に存在しないと演算部１１０’が推定する。
【００７８】
［４．報知システム］
報知システム１は、上記情報処理システム３０と、演算部１１０において演算された情報（排泄情報）を報知する報知デバイス１３０（報知部）とを備える。
【００７９】
［４−１．報知部］
報知部１３０は、着用者又はこの着用者を介護する介護者に排泄情報を報知するデバイスである。
この報知部１３０としては、視覚的に表示（報知）するディスプレイやライトなどの表示部、視覚的に報知するスピーカやブザーなどの発音器、触覚的に報知するバイブレータ（振動器）といったデバイスが挙げられる。また、上記例示のように、報知部１３０として、パーソナルコンピュータや多機能携帯端末などの報知デバイスを用いることができる。
報知部１３０には、上述した要介護者の推定位置情報のほか、センサ装置１０の検出情報に基づいて演算された排泄情報がコンピュータ１００から伝達される。
上記の報知部１３０で報知される介護者としては、成人や幼児などの着用者を介護又は育児する介護士やヘルパー、親族などが挙げられる。
【００８０】
そのほか、報知部１３０での報知態様を上述したコンピュータ１００で制御してもよい。たとえば、排泄物の有無や排泄時点、排泄物の種類、着用者の不快度などに応じて、報知する表示内容、音種、振動パターンなどをコンピュータ１００で制御してもよい。
報知部１３０がディスプレイである場合には、各種の排泄情報の一覧表示やその表示順、各種の排泄情報のうちの一部の表示といった態様をコンピュータ１００で制御してもよい。更に言えば、複数の着用者に装着される紙おむつ２のそれぞれにセンサ装置１０が取り付けられる場合に、各センサ装置１０に紐付けられた着用者と上述した各種の排泄情報との一覧表示や、この一覧表示で経過時間ｔの長短や不快度の度合いなどに応じた各排泄情報の昇順又は降順の表示（ソート表示）といった態様をコンピュータ１００で制御してもよい。このような表示態様の制御処理は、上記のプログラム１２６によりコンピュータ１００で実行される。
【００８１】
［５．報知方法］
つぎに、図８のフローチャートを参照して、報知方法を説明する。この報知方法は、上述した情報処理システム３０によって情報処理する方法（情報処理方法）を含み、上述した報知システム１によって報知する方法である。
この報知方法では、センサ装置１０で紙おむつ２の湿度・温度を検出する検出工程（ステップＡ１０）、この検出工程で検出された湿度・温度を、着用者が滞在する室内に複数設置された中継器９０の少なくとも一つが受信して、次の演算工程に送信する中継工程（ステップＡ２０）、この中継工程から受信した湿度・温度の変動に基づいて排泄情報を演算する演算工程（ステップＡ３０）、この演算工程で演算された排泄情報を着用者又は介護者に報知する報知工程（ステップＡ４０）の順に各工程が実施される。
なお、情報処理方法では、検出工程（ステップＡ１０）、中継工程（ステップＡ２０）及び演算工程（Ａ３０）の順に各工程が実施される。
【００８２】
つづいて、図９を参照し、演算工程を詳述する。
なお、図９で用いるフラグＦ1，Ｆ2，Ｆ21及びＦ22ならびに経過時間ｔは、初期値が「０」に設定される。
フラグＦ1は、排泄時点の判定の有無を示す排泄フラグである。この排泄フラグＦ1は、排泄時点が判定されていなければ「０」に設定され、排泄時点が判定されると「１」に設定される。
【００８３】
フラグＦ2，Ｆ21，Ｆ22は、着用者に不快度に関する不快度フラグである。これらの不快度フラグＦ2，Ｆ21，Ｆ22は、不快度が「○」のときに「０」に設定され、不快度が「△」のときに「１」に設定され、不快度が「×」のときに「２」に設定される。詳細に言えば、フラグＦ21は、流動体の排泄物に関する第一不快度フラグである。フラグＦ22は、固形の排泄物に関する第二不快度フラグである。これらのフラグＦ21，Ｆ22の論理和が不快度フラグＦ2として設定される。
【００８４】
演算工程では、はじめに判定工程（ステップＡ３１）が実施される。この判定工程では、フラグＦ1が「１」であるか否かが判定される。すなわち、判定部１１１によって排泄時点が判定される。
この判定工程で排泄時点が判定される（Ｆ1＝１）と、計測工程（ステップＡ３２）に移行する。一方、判定工程で排泄時点が判定されない（Ｆ1＝０）と、不快度フラグＦ2を「０」に設定する（ステップＡ３９）。
【００８５】
計測工程では、経過時間ｔの計測を開始する。
その後、条件Ｃ１が成立したか否かが判定される（ステップＡ３３）。すなわち、類別部１１３によって排泄物の種類が類別される類別工程が実施される。
この類別工程で排泄物の種類が流動体に類別されると、経過時間ｔが所定時間ｔＰよりも短いか否かが判定される（ステップＡ３４）。一方、類別工程で排泄物の種類が固形に類別されると、経過時間ｔにかかわらず、第二不快度フラグＦ22を「２」に設定する（ステップＡ３７）。
【００８６】
経過時間ｔが所定時間ｔＰを超えていなければ、第一不快度フラグＦ21を「１」に設定し（ステップＡ３５）、経過時間ｔが所定時間ｔＰ以上であれば、第一不快度フラグＦ21を「２」に設定する（ステップＡ３６）。
それから、類別工程を経た後に設定された二つのフラグＦ21，Ｆ22の論理和を不快度フラグＦ2に設定する（ステップＡ３８）。
なお、不快度フラグＦ2の設定後に、たとえば条件Ａ３が成立したり紙おむつ２の交換時点が入力されて紙おむつ２が交換されると、フラグＦ1，Ｆ2，Ｆ21及びＦ22ならびに経過時間ｔは、「０」に設定（リセット）される。
そして、上述した報知工程に移行（リターン）する。
【００８７】
［６．タイムチャート］
つぎに、図１０のタイムチャートを参照し、報知システム１及び報知方法の一例を説明する。ここで説明するタイムチャートでは、時点ｔ1で装着されていた紙おむつ２を新たな紙おむつ２に交換している。そのため、時点ｔ1までは、交換前の紙おむつ２に関する湿度ｈ・温度ＴやフラグＦを示す。一方、時点ｔ1以降は、交換後の紙おむつ２に関する湿度ｈ・温度ＴやフラグＦを示す。なお、時点ｔ1までは排泄物が排泄されることがないものとする。
紙おむつ２を交換するまでの時点ｔ0以前は、図１０（ａ）及び（ｂ）に示すように、着用者の発汗や体温によって紙おむつ２の湿度ｈ及び温度Ｔが平衡状態となり、一定値又はほぼ一定値に保持される。
【００８８】
それから、紙おむつ２を交換する際の時点ｔ0〜ｔ1では、湿気ｈが放散するとともに温度Ｔが放熱して、湿度ｈ及び温度Ｔが急低下する。このときの湿度ｈ及び温度Ｔは、交換低下度合いよりも大きい度合いで低下し、所定低下値ｈPL及びＴPLを下回る。
紙おむつ２の交換直後の時点ｔ1〜ｔ2では、着用者の発汗や体温によって、湿度ｈ及び温度Ｔが緩やかに上昇する。その後の時点ｔ2〜ｔ3では、時点ｔ0以前と同様に、湿度ｈ及び温度Ｔが一定値又はほぼ一定値に保持される。
【００８９】
そして、紙おむつ２に排泄物が排泄される際の時点ｔ3〜ｔ4では、排泄物の湿気や熱によって湿度ｈ及び温度Ｔが急上昇する。このときの湿度ｈ及び温度Ｔは、排泄上昇度合いよりも大きい度合いで上昇し、所定上昇値ｈPH及びＴPHを上回る。このとき、図１０（ｃ）に示すように、排泄フラグＦ1が「０」から「１」に設定される。また、図１０（ｄ）及び（ｆ）に示すように不快度フラグＦ2，Ｆ21が「０」から「１」に設定される。
紙おむつ２に排泄物が排泄された後の時点ｔ4以降では、排泄物の放熱によって温度Ｔが緩やかに低下する。図１０（ｂ）に実線で示すように、流動体の排泄物が排泄された場合には、時点ｔ4以降における温度Ｔが低下しやすい。
【００９０】
これに対して、図１０（ｂ）に二点鎖線で示すように、固形の排泄物が排泄された場合には、時点ｔ4以降における温度Ｔが低下しにくい。たとえば、時点ｔ4後の時点ｔ5において、温度Ｔの低下度合いが類別低下度合いよりも小さいこと（条件Ｃ１の不成立）が判定されると、排泄物の種類が固形と類別される。このときには、図１０（ｅ）に示すように、第二不快度フラグＦ22が「０」から「２」に設定される。よって、図１０（ｆ）に二点鎖線で示すように、不快度フラグＦ2も「２」に設定される。
時点ｔ5後の時点ｔ6では、排泄時点から所定時間ｔＰが経過し、排泄前に保持される温度を温度Ｔが下回る。このとき、図１０（ｄ）及び（ｆ）に実線で示すように、不快度フラグＦ2，Ｆ21が「１」から「２」に設定される。
【００９１】
［７．作用及び効果］
上述したように本実施形態が構成されるため、以下のような作用及び効果を得ることができる。
［７−１．情報処理システム］
（１）情報処理システムでは、着用者が滞在する室内に少なくとも一つの中継器９０が設置されるため、センサ装置１０から送信された検出情報の精度が向上する。つまり、この情報処理システムによれば、センサ装置１０からの検出情報を適切に受信できる。
（２）また、中継器９０を介してコンピュータ１００にセンサ装置１０の検出情報を伝達するため、センサ装置１０に要求されるバッテリ性能や情報送信距離を抑えることができる。よって、センサ装置１０の小型化や低コスト化が可能となる。これにより、センサ装置１０の取り付けられた紙おむつ２を装着する着用者に対する違和感を抑えつつ、センサ装置１０で検出された情報に基づいて着用者やその介護者に対する有用な情報を提供することができる。
【００９２】
［７−２．紙おむつ］
（１）紙おむつ２は所定の位置にセンサ装置１０を取り付けるための第一案内部２０を備えるため、センサ装置１０の位置決め及び取り付けが容易である。股下部２Ｂにセンサ装置１０を取り付けた紙おむつ２によれば、センサ装置１０による着用者の皮膚の圧迫や摩擦が抑制されるため、床ずれの発症を防止できる。また、案内部２０は尿道口対向部２２と肛門対向部２１との略中間に設けられるため、センサ装置１０により、固形排泄物及び流動排泄物をバランスよく検知することができる。
（２）また、第一案内部２０とは異なる第二案内部２０’を備える紙おむつ２は、センサ装置１０及びセンサ装置１０’の位置決め及び取り付けが容易である。股下部２Ｂにセンサ装置１０を、尿道口対向部２２を含む領域にセンサ装置１０’を取り付けた紙おむつ２によれば、センサ装置１０にて固形排泄物を検知し、センサ装置１０’にて流動排泄物を検知するように、排泄物の性状に合わせて各センサ装置の構成を変更できる。そのため、各センサ装置の検出精度を向上させたり、各センサ装置のサイズを小さくできる。
【００９３】
［ＩＩ．第二実施形態］
つぎに、第二実施形態のセンサ装置及びこのセンサ装置が取り付けられた吸収性物品について説明する。
第二実施形態のセンサ装置は、第一実施形態とは取り付けられる箇所が異なる。ここで説明する点を除いては、第一実施形態と同様の構成となっている。これらの構成については、各部の説明を省略する。
以下、センサ装置及び吸収性物品の順に各構成を説明する。
【００９４】
［１．センサ装置］
図１２に示すように、本実施形態のセンサ装置７が取り付けられる吸収性物品４には、紙おむつ５（外装体）に加えて吸水性の尿パッド６（内装体）が設けられている。つまり、吸収性物品４は、尿パッド６と紙おむつ５との複合体である。また、紙おむつ５は、装着者に対して尿パッド６を固定する装着具とも言える。
吸収性物品４では、紙おむつ５に対して肌面側であって尿パッド６の非肌面側にセンサ装置７が配置される。このように紙おむつ５と尿パッド６との間にセンサ装置７が配置された吸収性物品４を「センサ付き吸収性物品４７」と呼ぶ。なお、外装体としては、紙おむつのほか、下着や、尿パッド保持用に作られたホルダーパンツと呼ばれる布製のパンツ型外装体等が挙げられる。内装体としては、吸水性を有するものであれば特に限定されない。
【００９５】
センサ装置７には、湿度・温度を検出する検出部７１が内蔵され、一部が露出した状態の検出部７１がハウジング７２の内部に配置されている。ここで説明する検出部７１は、湿度・温度のみを検出する。
ハウジング７２には、ストラップ８の一端（一部）が結合（接続）される結合部７３が形成されている。図１２には取手状の結合部７３を例示するが、ストラップ８を容易に結び付けることのできる種々の形態を結合部７３に採用することができる。たとえば、ストラップホールを結合部７３に用いることができる。
なお、本実施形態のセンサ装置７は、後述するように湿度・温度のみで排泄の有無を検知することができ、湿度・温度のみで排泄物を類別することができる。このように湿度・温度のみを検出するセンサ装置７によれば、センサ装置７自体が小型化され、プログラムを簡素化できる。その結果、センサ装置７の耐久性やプログラムの可用性（信頼性）を向上させることができる。ただし、センサ装置７の検出対象には、湿度・温度に限らず、臭いや特定物質の有無といった他の対象が含まれてもよい。
【００９６】
さらに、吸収性物品４への取付用として、センサ装置７における非肌面側の外表面に着脱可能な面ファスナー７９（接続部）が貼着されている。すなわち、センサ装置７は、非肌面側に設けられた面ファスナー７９で吸収性物品４に取り付けられる。なお、面ファスナー７９で取り付けられたセンサ装置７は、非肌面側の紙おむつ５に対して固定されるだけで、肌面側の尿パッド６に対しては固定されていない。
紙おむつ５に固定されたセンサ装置７の肌面側には、一部が露出した検出部７１が尿パッド６に対して直接的に対向して配置される。
【００９７】
なお、センサ装置に貼着される面ファスナーは、ハウジングの外表面において一部に限らず、全部の外表面に設けられてもよい。さらに言えば、センサ装置のハウジングが面ファスナーで構成されていてもよい。また、面ファスナーの着脱先は、紙おむつに限らず、尿パッドであってもよい。
また、センサ装置７のハウジングと紙おむつ５とを接続するためには、面ファスナー７９に替えて又は加えて、別体のテープ（接続部）を用いてもよい。この場合には、検出部７１の検出精度を確保する観点から、検出部７１が露出した状態でテープをセンサ装置７や紙おむつ５に貼り付けることが好ましい。そのため、穴（開口部）の設けられたテープを用いれば、検出部７１と穴の位置とを重ね合わせつつテープを貼り付けることで、検出部７１の検出精度を確保しつつ紙おむつ５に対してセンサ装置７を確実に貼り付けることができる。
【００９８】
そのほか、センサ装置７には、取付姿勢で肌面側を向いて配置された電源ボタン７４や、センサ装置７の作動状態を示すインジケータ７５（ここでは電源ボタン７４の左右に二つ）が設けられる。
電源ボタン７４を押圧操作することで、センサ装置７がＯＮ状態となり、湿度・温度が所定の周期で検出され、検出された湿度・温度の情報が中継器９０に向けて所定の周期で送信される。また、インジケータ７５は、センサ装置７の作動状態に応じて表示色や点滅パターンを変化させる。
【００９９】
［２．吸収性物品］
つぎに、吸収性物品４について、センサ装置７を取り付けるための構成を説明する。
紙おむつ５には、センサ装置７を所定の位置に案内する案内部５１が設けられている。ここでいう「所定の位置」とは、センサ装置７の検出精度を確保する観点や紙おむつ５の着用者に対する違和感を抑える観点などに基づいて設定される、紙おむつ５に対するセンサ装置７の適正位置である。ここでは、紙おむつ５の股下部５Ｂに「所定の位置」が設定される。具体的には、案内部５１は紙おむつ５の股下部５Ｂにおける肌面側の中央領域、つまり、紙おむつ５の肌面側であって、その中心を含む領域に設けられる。紙おむつ５に案内部５１を設けることでセンサ装置７の位置決め及び取り付けが容易になる。
【０１００】
また、図１２に示すように、紙おむつ５には、上記センサ装置７（「第一排泄検知装置」ともいう。）とは別のセンサ装置７’（「第二排泄検知装置」ともいう。）を取り付けるための第二案内部５１’が設けられてもよい。第二案内部５１’は、股下部５Ｂにおける長手方向Ｌの一側（前身頃５Ａ方向）の端部領域、具体的には尿道口対向部を含む領域に設けられる。紙おむつ５に第二案内部５１’を設けることで、センサ装置７’の位置決め及び取り付けが容易になる。紙おむつ５にセンサ装置７，７’を取り付ける場合には、肛門対向部に近いセンサ装置７にて糞便等の固形排泄物に関する湿度・温度を検出し、尿道口対向部に近いセンサ装置７’にて尿便等の流動排泄物に関する湿度・温度を検出する。このように取り付け位置によってセンサ装置７，７’が検出する排泄物の性状を分けることで、各センサ装置の構成を簡素にしたり、各センサ装置の検出精度を向上させることができる。また、センサ装置自体のサイズが小さくなり、着用者に対する違和感をより低減できる。
【０１０１】
また、紙おむつ５には、尿パッド６を取り付けるための第三案内部５４が設けられていてもよい。第三案内部５４は、例えば、紙おむつ５の長手方向Ｌ及び幅方向Ｗにおける肌面側の両端部に設けられる。紙おむつ５に第三案内部５４を設けることで、紙おむつ５に対する尿パッド６の位置決め及び取り付けが容易になる。
【０１０２】
案内部５１，５１’，５４は、紙おむつ５の肌面側に表示された絵柄として構成される。たとえば、センサ装置７の輪郭線や矢印、十字形の印（いわゆる「トンボ」）といった種々の絵柄を案内部５１，５１’，５４に用いることができる。
ただし、案内部５１，５１’，５４は絵柄に限らず、センサ装置７，７’や尿パッド６に対応する大きさの凹部や折線といった案内構造を案内部５１，５１’，５４に採用してもよい。
【０１０３】
また、紙おむつ５には、ストラップ８の他端（他部）が結合される第二結合部５２が設けられている。ここでは、第二結合部５２が紙おむつ５の前身頃５Ａに設けられている。
第二結合部５２には、センサ装置７の結合部７３と同様に、ストラップ８を容易に結合することのできる種々の形態を採用することができる。
【０１０４】
また、第二結合部５２は、装着状態で外観可能な箇所に配置されている。すなわち、第二結合部５２は、紙おむつ５の外面に設けられ、外部から視認しやすい箇所に設けられている。そのため、ストラップ８は、吸収性物品４の内部で結合部７３に一端が結合され、吸収性物品４の外部で第二結合部５２に他端が結合される。言い換えれば、紙おむつ１の外部まで延在するストラップ８がハウジング７２に接続されている。
これらの結合部７３，５２に結合されるストラップ８の寸法は、装着状態の紙おむつ５及び尿パッド６の形状に沿って、センサ装置７の結合部７３と第二結合部５２とを結ぶ最短経路の寸法に応じた長さに設定されている。
【０１０５】
また、図１２に示すように、紙おむつ５にセンサ装置７’を取り付ける場合には、センサ装置７’の結合部と上記第二結合部５２とを、ストラップ８’を用いて結合してもよい。また、第二結合部５２とは別の結合部を紙おむつ５に設けてもよい。
【０１０６】
上記吸収性物品４を第一実施形態で説明した情報処理システムや報知システムに使用することができる。すなわち、この場合、センサ装置７とセンサ装置７’とは異なる周波数を用いて中継器９０の受信部９０Ａと通信を行うか、センサ装置７とセンサ装置７’にそれぞれのセンサ装置を識別するためのＩＤ情報をもたせて、センサ装置７，７’と中継器９０の受信部９０Ａとの間で通信を行う。中継器９０で受信したあとの処理は、上述した第一実施形態で説明した情報処理システムや報知システムでの適用が可能である。
【０１０７】
［３．作用及び効果］
上述したように本実施形態が構成されるため、以下のような作用及び効果を得ることができる。
（１）仮に、紙おむつの外表面（非肌面側の表面）にセンサ装置が取り付けられた場合には、紙おむつからセンサ装置が脱落しやすいものの、着用者に対するセンサ装置の違和感は抑えられる。一方、尿パッドの内表面（肌面側の表面）にセンサ装置が取り付けられた場合には、センサ装置が着用者に対して違和感を与えやすいものの、センサ装置の脱落は抑えられる。
これに対し、本実施形態のセンサ装置７は、紙おむつ５に対して肌面側に設けられた案内部５１に取り付けられるため、外部に露出せず、紙おむつ５からの脱落が抑えられる。また、センサ装置７は、尿パッド６の非肌面側に配置されるため、着用者に対して直接的に接触することがなく、着用者に対する違和感を抑えることができる。このように、紙おむつ５と尿パッド６との間に配置されたセンサ装置７によれば、吸収性物品４に対するセンサ装置７の確実な取り付けと着用者に対する違和感の抑制を両立することができる。また、案内部５１は股下部５Ｂに設けられているため、案内部５１に取り付けられたセンサ装置７による着用者の皮膚の圧迫や摩擦が抑制される。その結果、床ずれの発症を防止できる。また、案内部５１は尿道口対向部と肛門対向部との略中間に設けられるため、センサ装置７により、固形排泄物及び流動排泄物をバランスよく検知することができる。
【０１０８】
（２）また、センサ装置７に加えて、センサ装置７’を取り付けた紙おむつ５によれば、排泄物の性状に合わせて各センサ装置の構成を変更できる。そのため、各センサ装置の検出精度を向上させたり、各センサ装置のサイズを小さくできる。
【０１０９】
（３）センサ装置７のハウジング７２に形成された結合部７３にストラップ８を結び付ければ、ストラップ８を引っ張ることでセンサ装置７を吸収性物品４から容易に取り外すことができる。このように、センサ装置７の取り外しにかかる作業負荷を低減させることができる。また、センサ装置７を直接触ることなく取り外すことができることから、仮にセンサ装置７が汚損したとしても、取り外し作業者の衛生を確保することができる。
【０１１０】
（４）さらに、紙おむつ５に対して面ファスナー７９でセンサ装置７が着脱されることから、センサ装置７を容易に着脱することができ、センサ装置７の着脱作業にかかる負荷を抑えることができる。
（５）検出部７１がハウジング７２から肌面側に露出した状態でセンサ装置７が紙おむつ５に取り付けられることから、検出部７１の検出精度を確保することができる。具体的には、検出部７１が尿パッド６に対して直接的に対向して配置されることで、尿パッド６に排泄された排泄物に起因する湿度・温度の変化を精度よく検出することができる。
【０１１１】
（６）センサ装置７を所定の位置に案内する案内部５１が紙おむつ５に設けられることから、紙おむつ５に対してセンサ装置７を容易に適切な位置に取り付けることができる。
（７）具体的には、案内部５１として表示された絵柄にセンサ装置７を合わせるだけで、センサ装置７を適切な位置に配置することができる。
なお、案内部５１に凹部や折線といった案内構造が採用されている場合には、この案内構造に合わせてセンサ装置７を配置するだけで、紙おむつ５に対して容易にセンサ装置７を適切な位置に取り付けることができる。
【０１１２】
（８）センサ装置７の結合部７３に結び付けられたストラップ８を紙おむつ５の第二結合部５２にも結び付ければ、センサ装置７の脱落を確実に抑えることができる。
（９）この第二結合部５２は、外観可能な箇所に配置されることから、センサ装置７の結合部７３に結び付けられたストラップ８が第二結合部５２に結び付けられている場合には、ストラップ８も外観可能となる。よって、センサ装置７の有無を外観から把握することができる。
【０１１３】
（１０）さらに、結合部７３，５２に結合されるストラップ８の寸法は、装着状態の紙おむつ５及び尿パッド６の形状に沿って、センサ装置７の結合部７３と第二結合部５２とを結ぶ最短経路の寸法に応じた長さに設定されることから、不適切な位置へのセンサ装置７の取り付けを規制することができる。この点からも、センサ装置７を適切な位置に取り付けることができる。
【０１１４】
（１１）また、吸収性物品４を上述の情報処理システムや報知システムに用いることで、センサ装置７，７’から送信された情報を中継器９０が受信しやすくなり、検出情報の精度が向上する。つまり、この情報処理システムによれば、センサ装置７，７’からの検出情報を適切に受信できる。
【０１１５】
［ＩＩＩ．変形例］
最後に、本実施形態のその他の変形例について述べる。
たとえば、センサ装置１０，１０’が取り付けられる紙おむつ２の内側に、交換可能な尿パッドが装着されてもよい。このような紙おむつ２では、センサ装置１０，１０’の検出精度を確保するために、尿パッドの外側（非肌面側）に配置される紙おむつ２の肌面側に装置本体部１１が取付部１２で取り付けられる。この場合には、装置本体部１１で肌面側に検出部１１ａが配置され、この検出部１１ａが取付部１２で被覆されるおそれがある。
このように用いられるセンサ装置１０，１０’では、取付部１２のうち検出部１１ａを肌面側から被覆する領域を通気領域ＲVに含ませることで、検出部１１ａでの検出精度を確保することができる。
【０１１６】
また、図１３に示すように、通気層１２ａ’の一部に付着層１２ｂ’が積層された取付部１１’を用いていてもよい。なお、図１３では、図示の便宜上、取付部の厚みを誇張して示す。
図１３では、長手方向に沿って延びる複数の付着層１２ｂ’が幅方向に並んで設けられ、付着層１２ｂ’のそれぞれが通気層１２ａ’に積層されたものを例示する。ただし、格子状やドット状といった種々のパターンで付着層１２ｂ’が設けられてもよい。
通気層１２ａ’の一部に付着層１２ｂ’が積層された取付部１１’によれば、通気層１２ａ’の他部で通気性を向上させることができ、着用者の快適性の低下を確実に抑えることができる。また、付着層１２ｂ’の材料を低減させることができ、材料コストの低減や軽量化に寄与する。
【０１１７】
さらに、取付部１１’に通気孔１３’が設けられていてもよい。図１３では、通気層１２ａ’の他部（付着層１２ｂ’が積層されていない領域）に穿設された通気孔１３’を例示する。ただし、通気層１２ａ’及び付着層１２ｂ’の二層を貫通する通気孔を穿設してもよい。
通気孔１３’によれば、取付部１１’の通気性を確実に向上させ、着用者の快適性の低下をいっそう抑えることができ、軽量化にも寄与する。
【０１１８】
また、図１２に示す吸収性物品４において、案内部５１，５１’の何れか一方又は両方に替えて、紙おむつ５の外表面（最も非肌面側）に、第一実施形態で説明したセンサ装置１０，１０’を取り付けるための案内部２０，２０’（図１，２参照）を設けてもよい。
【０１１９】
そのほか、一つの紙おむつ２，５に対して、センサ装置７，７’，１０，１０’とは別のセンサ装置が取り付けられてもよい。この場合には、吸収体２ａと平面視で重複する箇所にセンサ装置が取り付けられることが好ましい。
このように案内部２０，２０’，５１，５１’とは異なる箇所にセンサ装置が取り付けられることで、紙おむつ２において排泄物が排泄された領域を詳細に検出することもできる。さらに、演算部１１０，１１０’は、排泄物の排泄領域に応じて排泄物の種類を類別してもよい。たとえば、後身頃２Ｃに排泄物が排泄されたときには排泄物を固形に類別し、前身頃２Ａに排泄物が排泄されたときには排泄物を流動体に類別することができる。そのほか、排泄領域から濡れ部分の面積を推定することで、排泄された排泄物の量や吸収された排泄物の量、漏れの有無などを判別することができる。それにより、着用者にとって最適なおむつやパッドを効率的に選定することが可能となる。
【０１２０】
なお、センサ装置７，７’，１０，１０’の検出対象である雰囲気情報は、上述したように湿度・温度に限らず、排泄物の臭いや色といった電気的特性の変化によって検出される種々の情報であってもよい。これらの検出対象のうちの少なくとも一種だけを雰囲気情報としてセンサ装置７，７’，１０，１０’が検出してもよい。これらの場合には、センサ装置７，７’，１０，１０’で検出された種々の情報やこの情報に基づいて演算された排泄情報を着用者やその介護者に報知することができる。
【０１２１】
さらに、演算部１１０，１１０’は、排泄情報として排泄タイミングを演算してもよい。具体的に言えば、演算部１１０，１１０’は、一人の着用者又は複数人の着用者のそれぞれに対して排泄時点の情報を蓄積し、蓄積された排泄時点の情報に基づいて着用者ごとの排泄タイミングを予測してもよい。たとえば、三十分ごとや一時間ごと区切られた時間帯別に排泄の有った回数の情報が蓄積され、この回数の多い時間帯が排泄タイミング（排泄予測時間）として演算される。
そのうえ、排泄時点からの経過時間や排泄頻度，着用者ごとに予測された排泄タイミングを報知部１３０に表示してもよい。このように、排泄予測時間やこの予測材料となりうる排泄頻度や経過時間などを介護者に報知することで、各着用者に対するトイレへの誘導や、紙おむつ２又は吸収性物品４の交換のタイミングや順番を最適化することもできる。
【０１２２】
一方、排泄情報から快適度を省略してもよく、類別部１１３，１１３’によって類別された排泄物の種類を排泄情報に含ませてもよい。
さらに、排泄物の種類を類別する手法としては、雰囲気情報の変動を用いた種々のアルゴリズムを採用することができ、雰囲気情報の大きさ（値）だけに着目するアルゴリズムを採用することもできる。以下、前者の類別手法を第一変形例として挙げ、後者の類別手法を第二変形例として挙げる。
【０１２３】
――第一変形例――
第一変形例では、センサ装置７，７’，１０，１０’によって検出された温度が所定期間内に所定範囲を越えて上昇することが満たされることを前提とし、センサ装置７，７’，１０，１０’で検出された湿度（以下「検出湿度」と略称する）の上昇度合いによって排泄物の種類を類別する。
ここでいう「所定期間」の一例としては、着用者の排泄に要する時間の長さとして予め設定された期間が挙げられる。また、「所定範囲」の一例としては、排泄物の種類によらず、着用者の排泄時において温度が上昇する量の下限として予め設定された範囲が挙げられる。さらに、排泄開始から排泄物の種類が類別されるまでの期間を短縮する観点からは、「所定期間」が短いほど好ましく、「所定範囲」が小さいほど好ましい。また、排泄物の種類を精度よく類別する観点からは、「所定期間」が長いほど好ましく、「所定範囲」が大きいほど好ましい。
【０１２４】
たとえば、所定期間内におけるパターン１Ａ〜３Ａのそれぞれに応じて排泄物の種類が類別される。なお、下記の「第一範囲」及び「第二範囲」は、「第一範囲」よりも「第二範囲」のほうが大きい。
・パターン１Ａ：検出湿度が第一範囲内で上昇する
・パターン２Ａ：検出湿度が第一範囲を超えて第二範囲内で上昇する
・パターン３Ａ：検出湿度が第二範囲を超えて上昇する
【０１２５】
上記したパターン１Ａの場合には、排泄物の種類が固形の排泄物（固形排泄物）と類別される。上記したパターン２Ａの場合には、排泄物の種類が水様便（第一流動排泄物）と類別される。上記したパターン３Ａの場合には、排泄物の種類が尿便（第二流動排泄物）と類別される。これらのパターン１Ａ〜３Ａでは、各種の排泄物に含有される水分量に応じた湿度上昇幅の大小に着目することで、排泄物の種類が類別される。
【０１２６】
――第二変形例――
第二変形例では、センサ装置７，７’，１０，１０’によって検出された温度が所定値以上であることを前提とし、センサ装置７，７’，１０，１０’で検出された湿度の高低によって排泄物の種類を類別する。
ここでいう「所定値」の一例としては、着用者の排泄時に検出される温度の下限として予め設定された値が挙げられる。さらに、排泄開始から排泄物の種類が類別されるまでの期間を短縮する観点からは「所定値」が低いほど好ましく、排泄の有無を精度よく類別する観点からは「所定値」が高いほど好ましい。
【０１２７】
たとえば、下記のパターン１Ｂ〜３Ｂのそれぞれに応じて排泄物の種類が類別される。
・パターン１Ｂ：検出湿度が第一閾値以下である
・パターン２Ｂ：検出湿度が第一閾値を超えて第二閾値以下である
・パターン３Ｂ：第二閾値を超える
上記したパターン１Ｂの場合には、排泄物の種類が固形の排泄物（固形排泄物）と類別される。上記したパターン２Ｂの場合には、排泄物の種類が水様便（第一流動排泄物）と類別される。上記したパターン３Ｂの場合には、排泄物の種類が尿便（第二流動排泄物）と類別される。これらのパターン１Ｂ〜３Ｂでは、各種の排泄物に含有される水分量に応じた湿度の高低（湿度の値そのもの）に着目することで、排泄物の種類が類別される。
【０１２８】
そのほか、排泄物の類別に関し、検出湿度にかかわらず、センサ装置で検出された温度が所定値以上の期間が所定期間を超えて継続する場合には、排泄物の種類を固形の排泄物と類別してもよい。また、検出湿度の上昇度合いが小さく、その後に検出湿度の低下度合いが大きい場合には、排泄物の種類を尿便と類別し、この尿便の排泄量が少量と判定してもよい。
なお、類別部１１３，１１３’によって類別された排泄物の種類や、この類別に用いられる値や範囲は、適宜書き換えることが可能である。たとえば、類別部１１３，１１３’によって類別された排泄物の種類を手動で修正することができる。さらに、排泄物の種類に対する修正データに基づいて、類別の用いられる値や範囲を最適化してもよく、このような自律的な演算によって類別された排泄物の種類を自動的に修正してもよい。
【０１２９】
また、介護記録や排泄記録、育児記録、保育記録などを管理するために、報知システム１において、検出された雰囲気情報や排泄時点、不快度といった種々のデータを報知部１３０，１３０’以外のディスプレイやプリンタなどに出力してもよい。この場合には、たとえば排泄記録表の作成作業を自動化することができ、介護や保育、育児に関する作業負荷を軽減させることができる。
【０１３０】
なお、取付部１２，１２’の少なくとも一部の通気領域ＲVにおける通気性が紙おむつ２の通気性と同等であってもよい。すなわち、取付部１２，１２’の通気領域ＲVが紙おむつ２のもの以上の通気性を有していればよい。この場合にも、センサ装置１０，１０’の取り付けによる紙おむつ２の通気性の低下を抑えることができ、着用者の快適性を確保することができる。
【０１３１】
また、受信部９０Ａと中継器９０とが分離していてもよい（図１４参照）。さらに、受信部９０Ａが一つの中継器９０に対して複数設けられていてもよい（図１５参照）。これらの場合は、上述の実施形態とは異なり、中継器９０と受信部９０Ａとが分離されているため、上述の実施形態における配設状態の説明に関しては、「中継器９０」の代わりに「中継器９０の受信部９０Ａ」と記載される。
例えば、配設状態の説明において、受信部９０Ａが着用者の滞在する室内に向け複数配設され、着用者に装着された吸収性物品付きのセンサ装置１０からの雰囲気情報を室内における複数の位置のうち少なくとも一つの位置で検出すべく、受信部９０Ａが室内における複数の位置に対応したそれぞれの位置に少なくとも一つ設けられている。すなわち、受信部９０Ａは、着用者が室内のある場所に滞在しているときに、センサ装置１０からの雰囲気情報を室内のある場所に対し複数の位置のうち少なくとも一つの位置で検出すべく、複数設けられている。さらに、複数の受信部９０Ａの少なくとも一部の受信部９０Ａが、センサ装置１０よりも下方の位置（「センサ装置１０よりも下方」の意味は上記のとおりである。）に設けられている。また、複数の受信部９０Ａの少なくとも一部の受信部９０Ａが、室内を構成する壁及び／又は床に埋め込まれている、等である。
【０１３２】
なお、上記の実施形態においては、中継器９０の受信部９０Ａが着用者の滞在する空間（室内）に複数配設された例について詳述したが、一つの中継器９０の受信部９０Ａがセンサ装置１０よりも下方の位置（「センサ装置１０よりも下方」の意味は上記のとおりである。）に設けられ、空間を構成する壁及び／又は床に埋設されてもよい。
【符号の説明】
【０１３３】
１    報知システム
２    紙おむつ（吸収性物品）
２ａ  吸収体
３    報知システム
４    吸収性物品
５    紙おむつ（外装体）
５Ａ    前身頃
５Ｂ    後身頃
５Ｃ    股下部
６    尿パッド（内装体）
７    センサ装置
８    ストラップ
１０    センサ装置
１１    装置本体部
１１Ａ    ハウジング
１１ａ    検出部（露出部位）
１２，１２’    取付部
１２ａ，１２ａ’    通気層
１２ｂ，１２ｂ’    付着層
１３’    通気孔
３０    情報処理システム
４７    センサ付き吸収性物品
２０，２０’，５１，５１’，５４    案内部
５２    第二結合部
７１    検出部
７２    ハウジング
７３    結合部
７４    電源ボタン
７９    面ファスナー
９０（９１〜９４）    中継器
９０Ａ（９１Ａ〜９４Ａ）    受信部
１００，１００’    コンピュータ
１１０，１１０’    演算部
１１１，１１１’    判定部
１１２，１１２’    タイマ
１１３，１１３’    類別部
１２０，１２０’    メモリ
１２６    プログラム
１２７    記録媒体
１２８    オンラインストレージ
１３０，１３０’    報知部
１３０Ａ’    パーソナルコンピュータ（報知部）
１３０Ｂ’    多機能携帯端末（報知部）
Ｌ1    寝室（第一地点）
Ｌ2    食堂（第二地点）
ＲV    通気領域
【図１】
2019130244.tif 000004
【図２】
2019130244.tif 000005
【図３】
2019130244.tif 000006
【図４】
2019130244.tif 000007
【図５】
2019130244.tif 000008
【図６】
2019130244.tif 000009
【図７】
2019130244.tif 000010
【図８】
2019130244.tif 000011
【図９】
2019130244.tif 000012
【図１０】
2019130244.tif 000013
【図１１】
2019130244.tif 000014
【図１２】
2019130244.tif 000015
【図１３】
2019130244.tif 000016
【図１４】
2019130244.tif 000017
【図１５】
2019130244.tif 000018